(57)【要約】【課題】台を用いずに簡単な操作で撮像領域を拡大でき、使い勝手のよい資料提示装置１０を提供すること。また、撮影領域を拡大しても資料以外のものが写し込まれるのを回避して、資料だけを撮像できる資料提示装置１０を提供すること。【解決手段】第１水平部１３ｂを水平位置に、そして第２水平部１３ｃを水平前進位置に設定する。この操作によって装置設置面２０と最広角に設定した撮像レンズとの距離が第１支持軸１６と第２支持軸１７との間隔Ｈだけ長くすることにより、撮像領域２２を拡大する。カメラヘッド１４の撮像範囲を拡大したとき、同時にカメラヘッド１４の位置が第１支持軸１６と第２支持軸１７の間隔Ｈだけ前方へ移動するので、基台１１の前面が写し込まれるのを回避できる。【選択図】図１
2010177719.tif 000002
【特許請求の範囲】
【請求項１】
基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記水平部を第１水平部と第２水平部から構成し、
第１水平部を前記直立部の上端に、直立部に並列に垂下する垂下位置と直立部から水平に基台前方へ延びる水平位置との間で回動可能に第１支持軸で直立部に組み付け、
前記第２水平部を垂下位置にある第１水平部から基台前方へ水平に延びる水平後退位置と水平位置にある第１水平部から基台前方へ水平に延びる水平前進位置との間で回動可能に第２支持軸で第１水平部の反第１支持軸側端部に組み付けたことを特徴とする資料提示装置。
【請求項２】
前記第２水平部が前記水平後退位置から前記直立部に並列に垂下する垂下位置へ回動可能に前記第２支持軸で第１水平部に組み付けたことを特徴とする請求項１に記載の資料提示装置。
【請求項３】
前記直立部を前記基台から直立する位置と前記基台に倒伏する位置との間で回動可能に第３支持軸で基台に組み付けたことを特徴とする請求項２に記載の資料提示装置。
【発明の詳細な説明】
【技術分野】
【０００１】
本発明は、基台に立設した支柱の先端部にカメラヘッドを設け、基台の前方に置いた書類や模型等の資料をカメラヘッドで撮像し、撮像をモニターテレビで再生したり、ビデオプロジェクターでスクリーンに投影する資料提示装置に関する。
【背景技術】
【０００２】
資料提示装置の一形式として、特開２００８−１９３３９１号公報には、図９及び図１０に示すように基台１０１から支柱１０２を立設し、この支柱１０２先端にカメラヘッド１０３を取り付けた資料提示装置１００が開示されている。
【０００３】
この資料提示装置１００では、支柱１０２が基台１０１から直立する直立部１０２ａと、直立部１０２ａから連続して水平に基台１０１の前方へ延びる水平部１０２ｂを有し、水平部１０２ｂの先端にカメラヘッド１０３を設けている。そして、資料を基台１０１の前面に近接するように装置設置面上に置き、カメラヘッドの撮像レンズ１０４で資料を撮像する。
【先行技術文献】
【特許文献】
【０００４】
【特許文献１】特開２００８−１９３３９１号公報
【発明の概要】
【発明が解決しようとする課題】
【０００５】
上記した従来の資料提示装置１００では、資料のサイズがカメラヘッド１０３の撮像領域より大きい場合、資料提示装置１００とは別の台２００を用い、この台２００に資料提示装置１００を乗せて資料を撮像している。資料提示装置１００を台２００に乗せることによりカメラヘッドの撮像レンズ１０４から資料までの撮影距離が台２００を用いない場合な比べて延びるので、その分カメラヘッド１０３の撮像領域２０１を拡大できる。
【０００６】
しかし、従来の資料提示装置１００は、資料提示装置１００とは別に資料提示装置１００を乗せることができる台２００を用意しなければ撮像領域を拡大できないので、使い勝手が悪い。
また、資料提示装置１００を台２００に乗せて撮像領域２０１を拡大すると、図９に示すように台２００の前端部までも撮像領域２０１に含まれるので、台２００の前端部が写し込まれてしまうという不都合が生じる。
【０００７】
本発明はかかる問題点に鑑み、台を用いずに簡単な操作で撮像領域を拡大でき、使い勝手のよい資料提示装置を提供することを目的とする。
また、撮影領域を拡大しても資料以外のものが写し込まれるのを回避して、資料だけを撮像できる資料提示装置を提供することを目的とする。
【課題を解決するための手段】
【０００８】
請求項１に記載の発明は、基台と、基台から立設した支柱と、支柱先端に取り付けたカメラヘッドを備え、前記支柱は基台から直立する直立部と、直立部から水平に前記基台の前方へ延びる水平部を有し、水平部の先端に前記カメラヘッドを設け、装置設置面に置かれた資料を前記カメラヘッドで撮像するように構成した資料提示装置であって、
前記水平部を第１水平部と第２水平部から構成し、第１水平部を前記直立部の上端に、直立部に並列に垂下する垂下位置と直立部から水平に基台前方へ延びる水平位置との間で回動可能に第１支持軸で直立部に組み付け、前記第２水平部を垂下位置にある第１水平部から基台前方へ水平に延びる水平後退位置と水平位置にある第１水平部から基台前方へ水平に延びる水平前進位置との間で回動可能に第２支持軸で第１水平部の反第１支持軸側端部に組み付けたことを特徴とする。
【０００９】
請求項２に記載の発明は、請求項１に記載の資料提示装置において、前記第２水平部が前記水平後退位置から前記直立部に並列に垂下する垂下位置へ回動可能に前記第２支持軸で第１水平部に組み付けたことを特徴とする。
【００１０】
請求項３に記載の発明は請求項２に記載の資料提示装置において、前記直立部を前記基台から直立する位置と前記基台に倒伏する位置との間で回動可能に第３支持軸で基台に組み付けたことを特徴とする。
【発明の効果】
【００１１】
請求項１に記載の発明によれば、カメラヘッドから装置設置面上の資料までの撮像距離が、第１水平部が垂下位置にあって、第２水平部が水平後退位置にあるときに比べ、第１水平部が水平位置にあって、第２水平部が水平前進位置にあるとき、第１支持軸と第２支持軸の間隔だけ上方へ高くなるので、カメラヘッドの撮像範囲が拡大される。
しかして、カメラヘッドの撮像範囲を拡大したとき、同時にカメラヘッドの位置が第１支持軸と第２支持軸の間隔だけ前方へ移動するので、基台前面が写し込まれるのを回避できる。
【００１２】
請求項２に記載の発明によれば、支柱の直立部に第１水平部と第２水平部を並列させることができるので、装置をコンパクトに折り畳むことができる。
【００１３】
請求項３に記載の発明によれば、支柱の直立部に第１水平部と第２水平部を並列させ、さらに並列した直立部と第１及び第２水平部を基台に倒伏させることができるので、より一層コンパクトに装置を折り畳むことができる。
【図面の簡単な説明】
【００１４】
【図１】本発明の実施例に係る資料提示装置の第１水平部を水平位置に設定した斜視図である。
【図２】同資料提示装置の第１水平部を垂下位置に設定した斜視図である。
【図３】同資料提示装置の第１、第２水平部を直立部に並列にした斜視図である。
【図４】同資料提示装置の直立部、第１、第２水平部を基台に倒伏した側面図である。
【図５】同資料提示装置の第１水平部を垂下位置に設定した側面図である。
【図６】同資料提示装置の第１水平部を垂下位置に設定した平面図である。
【図７】同資料提示装置の第１水平部を水平位置に設定した側面図である。
【図８】同資料提示装置の第１水平部を水平位置に設定した平面図である
【図９】従来の資料提示装置を示す斜視図である。
【図１０】従来の資料提示装置を示す側面図である。
【実施例１】
【００１５】
以下に本発明を図面に基づき説明するに、図１〜図４には本発明の一実施例に係る資料提示装置１０が示されている。当該資料提示装置１０は基台１１、台座１２、支柱１３及びカメラヘッド１４を備えている。基台１１は平面形状が略長方形で前部１１ａの上面に台座１２が設けられ、基台１１の内部には制御回路ユニットが内蔵されている。また、基台１１の背面にはテレビモニターやビデオプロジェクターと資料提示装置１０を接続するための各種端子が配設されている。
【００１６】
支柱１３は中空構造を有し、図１に示すように、直立部１３ａと直立部１３ａの上端部から基台１１の前方へ水平に延びる第１水平部１３ｂ及び第１水平部１３ｂから水平に前方へ延びる第２水平部１３ｃから構成され、内部には基台１１に内蔵された制御回路ユニットとカメラヘッド１４を接続するワイヤーハーネスが挿通されている。
【００１７】
支柱１３の直立部１３ａは図１、図２及び図３に示すように基台１１から直立する位置と、図４に示すように基台１１に倒伏する位置との間で左右方向に回動可能に第３支持軸１５で台座１２に組み付けられている。
【００１８】
第１水平部１３ｂは図１に示すように、直立部１３ａから水平に基台１１の前方へ延びる水平位置と、図２に示すように、直立部１３ａに並列に垂下する垂下位置の間で回動可能に第１支持軸１６で直立部１３ａの上端部に組み付けられている。
【００１９】
第２水平部１３ｃは図１に示すように、水平位置にある第１水平部１３ｂから基台１１の前方へ水平に延びる水平前進位置と、図２に示すように、垂下位置にある第１水平部１３ｂから基台１１の前方へ水平に延びる水平後退位置との間で回動可能に第２支持軸１７で第１水平部１３ｂの反第１支持軸１６側端部に組み付けられている。
【００２０】
また、第２水平部は図２に示す水平後退位置から図３に示すように、直立部１３ａに並列に垂下する垂下位置へ回動可能に第２支持軸１７で第１水平部１３ｂに組み付けられている。
【００２１】
カメラヘッド１４は直方体のハウジング１４ａを有し、このハウジング１４ａが水平部１３ｂと直線的に整列するように水平部１３ｃの前端部に連結固定され前方へ延びている。ハウジング１４ａの前端部下面に撮像レンズを組み込んだレンズ鏡筒１４ｂ（図５，７参照）が垂設され、ハウジング１４ａの内部にはカメラ制御回路が内蔵されている。
なお、カメラヘッド１４の重みで装置１０が基台１１の前方へ傾倒するのを防止するため基台１１内部には所要重量のバランサーが内蔵されている。
【００２２】
本実施例に係る資料提示装置１０の構造は以上の通りであって、以下にその使用方法を説明する。図２、図５及び図６に示すように、第１水平部１３ｂを垂下位置に、そして第２水平部１３ｃを水平後退位置に設定する。そして、装置設置面２０（図５参照）に資料を置き、撮像領域２１に資料が収まるように資料の位置を調整する。
【００２３】
資料のサイズが大きく、撮像レンズの画角を最広角に設定しても資料の全体を撮像できないような場合、図１、図７及び図８に示すように、第１水平部１３ｂを水平位置に、そして第２水平部１３ｃを水平前進位置に設定する。この操作によって装置設置面２０と最広角に設定した撮像レンズとの距離が第１支持軸１６と第２支持軸１７との間隔Ｈだけ長くなるので、撮像領域２２を拡大できる。
【００２４】
資料提示装置１０は、使用しないときは図４に示すように、支柱１３の直立部１３ａに第１水平部１３ｂと第２水平部１３ｃを並列させ、さらに並列した直立部１３ａと第１水平部１３ｂ及び第２水平部１３ｃを基台１１に倒伏して折り畳む。
【００２５】
本実施例に係る資料提示装置１０は、カメラヘッド１４から装置設置面２０上の資料までの撮像距離が、第１水平部１３ｂが垂下位置にあって、第２水平部１３ｃが水平後退位置にあるときに比べ、第１水平部１３ｂが水平位置にあって、第２水平部１３ｃが水平前進位置にあるとき、第１支持軸１６と第２支持軸１７の間隔Ｈだけ上方へ高くなるので、カメラヘッド１４の撮像範囲が拡大される。
しかして、カメラヘッド１４の撮像範囲を拡大したとき、同時にカメラヘッド１４の位置が第１支持軸１６と第２支持軸１７の間隔Ｈだけ前方へ移動するので、基台１１の前面が写し込まれるのを回避できる。
【００２６】
また、支柱１３の直立部１３ａに第１水平部１３ｂと第２水平部１３ｃが並列し、さらに直立部１３ａと第１水平部１３ｂ及び第２水平部１３ｃを基台１１に倒伏させることができるので、資料提示装置１０をコンパクトに折り畳むことができる。
【符号の説明】
【００２７】
１０…資料提示装置
１１…基台
１１ａ…基台前面
１２…台座
１３…支柱
１３ａ…直立部
１３ｂ…第１水平部
１３ｃ…第２水平部
１４…カメラヘッド
１４ａ…ハウジング
１４ｂ…レンズ鏡胴
１５…第３支持軸
１６…第１支持軸
１７…第２支持軸
２０…装置設置面
２１，２２…撮像領域
【図１】
2010177719.tif 000003
【図２】
2010177719.tif 000004
【図３】
2010177719.tif 000005
【図４】
2010177719.tif 000006
【図５】
2010177719.tif 000007
【図６】
2010177719.tif 000008
【図７】
2010177719.tif 000009
【図８】
2010177719.tif 000010
【図９】
2010177719.tif 000011
【図１０】
2010177719.tif 000012